(57)【要約】      （修正有）【課題】ロックをさらに確実にするケースに用いられるロックを提供する。【解決手段】ロック８００は、第一本体１００および第二本体３００を含む。ロック体１１０は第一本体１００内に設けられ、第一本体１００の第一上端面１３０はロック穴１３４を有し、第一本体１００の第一側端面１５０は位置決め穴１５４を有する。第二本体３００の第二上端面３３０は第一上端面１３０と同一の方向に向き、第二上端面３３０に回動可能な係止具３３１が設けられ、回動可能な係止具３３１はロータ及びラッチを含む。第二側端面３５０には位置決め具３５４が設けられる。第一側端面１５０が第二側端面３５０と隣り合う閉鎖位置に位置すると、位置決め具３５４は位置決め穴１５４に挿入され、ロータはラッチをロック穴１３４に挿入するように回転することができ、かつ、ロック体１１０によってラッチがロック穴１３４から離れることを制限する。【選択図】図３
0003210073.tif 000002
【実用新案登録請求の範囲】
【請求項１】
第一本体であって、
前記第一本体内に設けられるロック体と、
ロック穴を有する第一上端面と、
位置決め穴を有する第一側端面と、を含み、前記第一上端面と前記第一側端面が第一角度を挟む第一本体と、
第二本体であって、
前記第一上端面と同一の方向に向き、回動可能な係止具が設けられ、前記回動可能な係止具はロータ及びラッチを含み、前記ロータは、一端が前記第二上端面に枢着され、前記ロータの他端に近い前記第二上端面に向く側が前記ラッチに接続される第二上端面と、
前記第一側端面と対向し、前記位置決め穴に対応する位置に位置決め具が設けられる第二側端面と、を含み、前記第二上端面と前記第二側端面が第二角度を挟む第二本体と、を備え、
前記第一側端面が前記第二側端面と隣り合う閉鎖位置に位置すると、前記位置決め具は前記位置決め穴に挿入され、前記ロータは前記ラッチを前記ロック穴に挿入するように回転することができ、かつ、前記ロック体によって前記ラッチが前記ロック穴から離れることを制限するロック。
【請求項２】
第一本体であって、
ロック穴を有する第一上端面と、
位置決め穴を有する第一側端面と、を含み、前記第一上端面と前記第一側端面が第一角度を挟む第一本体と、
第二本体であって、
前記第二本体内に設けられるロック体と、
前記第一上端面と同一の方向に向き、回動可能な係止具が設けられ、前記回動可能な係止具はロータ及びラッチを含み、前記ロータは、一端が前記第二上端面に枢着され、前記ロータの他端に近い前記第二上端面に向く側が前記ラッチに接続される第二上端面と、
前記第一側端面と対向し、前記位置決め穴に対応する位置に位置決め具が設けられる第二側端面と、を含み、前記第二上端面と前記第二側端面が第二角度を挟む第二本体と、を備え、
前記第一側端面が前記第二側端面と隣り合う閉鎖位置に位置すると、前記位置決め具は前記位置決め穴に挿入され、前記ロータは前記ラッチを前記ロック穴に挿入するように回転することができ、かつ、前記ロック体によって前記ロータが回動することを制限し、さらに前記ラッチが前記ロック穴から離れることを制限するロック。
【請求項３】
前記ラッチは環状物を含む請求項１又は２に記載のロック。
【請求項４】
前記環状物の前記ロータが前記第二上端面に枢着される一端に近い位置に、ガイド部が設けられる請求項３に記載のロック。
【請求項５】
前記ラッチはフック状物を含む請求項１又は２に記載のロック。
【請求項６】
前記ロック穴及びその対応する前記ラッチはそれぞれ少なくとも一対ある請求項１又は２に記載のロック。
【請求項７】
前記ロック穴は少なくとも２個あり、かつ、前記第一上端面の前記第一側端面に対する距離の異なる位置に設けられる請求項１又は２に記載のロック。
【請求項８】
前記第一角度は９０°である請求項１又は２に記載のロック。
【請求項９】
前記第二角度は９０°である請求項１又は２に記載のロック。
【請求項１０】
前記ロック体はダイヤル錠を含む請求項１又は２に記載のロック。
【考案の詳細な説明】
【技術分野】
【０００１】
本考案はロックに関し、特にケースに用いられるロックに関する。
【背景技術】
【０００２】
図１に示すように、荷物の安全を確保するために、人々は外出時に、通常、ロック９０を有するケース２０で物品を収納する。そのうち、ケースはスーツケース、手提げケース及びブリーフケースを含むが、それらに限らない。よく見られるロックは、ダイヤル錠又はキーロックなどを含み、使用者は、ダイヤル錠のダイヤルを正確な解錠暗証番号の位置に回し、又はキーを挿入するなどの方式によって解錠してケースを開く。そのうち、ダイヤル錠は解錠時に別に解錠キー９１を押す必要がある。
【０００３】
一方、ロック９０はさらにケースのスライドファスナー４０と併せて使用されることができ、スライドファスナーが閉じた時に、スライダー４１を上記ロックのロック穴９２内に挿入し又は挟み、続いて、上記ロックのロック穴における移動して作動することができるほぞ又は係止体を、スライダーの貫通孔内に貫入させることで、ロックの効果を達成することができる。オープンしようとするときには、先ずロックを解錠し、ほぞ又は係止体をスライダーの貫通孔から脱離させ、こうすれば、使用者はスライダー４１をロック穴９２から離れさせ、それを引っ張って分離させてケースをオープンすることができる。
【考案の概要】
【考案が解決しようとする課題】
【０００４】
しかしながら、ロックはケースの表面から突出するため、旅行の途中で衝撃などの原因で壊れやすい。また、スライドファスナーと合わせるときには、スライダーが壊れたことによりケースがロック機能を失ってしまう可能性もある。
【０００５】
本考案は、先行技術に存在する上記の問題を解決するためのロックを提供することを目的とする。
【課題を解決するための手段】
【０００６】
本考案のロックは第一本体および第二本体を含む。第一本体は、ロック体、第一上端面及び第一側端面を含む。ロック体は第一本体内に設けられ、第一上端面はロック穴を有し、第一側端面は位置決め穴を有する。そのうち、第一上端面と第一側端面は第一角度を挟む。第二本体は、第二上端面および第二側端面を含む。第二上端面は第一上端面と同一の方向に向き、第二上端面に回動可能な係止具が設けられ、回動可能な係止具はロータ及びラッチを含み、ロータは、一端が第二上端面に枢着され、ロータの他端に近い第二上端面に向く側がラッチに接続される。第二側端面は、第一側端面と対向し、第二側端面の位置決め穴に対応する位置に位置決め具が設けられる。そのうち、第二上端面と第二側端面は第二角度を挟む。第一側端面が第二側端面と隣り合う閉鎖位置に位置すると、位置決め具は位置決め穴に挿入され、ロータはラッチをロック穴に挿入するように回転することができ、かつ、ロック体によってラッチがロック穴から離れることを制限する。
【０００７】
本考案のロックの変形例において、ロックは第一本体および第二本体を含み、第一本体は、第一上端面及び第一側端面を含む。第一上端面はロック穴を有し、第一側端面は位置決め穴を有する。そのうち、第一上端面と第一側端面は第一角度を挟む。第二本体は、ロック体、第二上端面および第二側端面を含む。ロック体は第二本体内に設けられ、第二上端面は第一上端面と同一の方向に向き、第二上端面に回動可能な係止具が設けられ、回動可能な係止具はロータ及びラッチを含み、ロータは、一端が第二上端面に枢着され、ロータの他端に近い第二上端面に向く側がラッチに接続される。第二側端面は、第一側端面と対向し、第二側端面の位置決め穴に対応する位置に位置決め具が設けられる。そのうち、第二上端面と第二側端面は第二角度を挟む。第一側端面が第二側端面と隣り合う閉鎖位置に位置すると、位置決め具は位置決め穴に挿入され、ロータはラッチをロック穴に挿入するように回転することができ、かつ、ロック体によってロータが回動することを制限し、さらにラッチがロック穴から離れることを制限する。
【０００８】
ラッチは環状物を含む。環状物のロータが第二上端面に枢着される一端に近い位置に、ガイド部が設けられる。ラッチはフック状物を含む。
ロック穴及びその対応するラッチはそれぞれ少なくとも一対ある。ロック穴は少なくとも２個あり、かつ、第一上端面の第一側端面に対する距離の異なる位置に設けられる。第一角度は９０°である。第二角度は９０°である。ロック体はダイヤル錠を含む。
【０００９】
上記に基づき、本考案におけるロックは、例えば、スライドファスナー式ロックがスライダーが衝撃を受けたことにより壊れることを避けることができるとともに、ロックをさらに確実にすることができ、これにより、従来技術に言及された問題を解決した。
【００１０】
上記の一般的な説明及び以下の具体的な実施の形態は例示及び説明のものに過ぎず、本考案の主張しようとする範囲を制限できないことを理解すべきである。
【図面の簡単な説明】
【００１１】
【図１】周知技術の模式図である。
【図２】本考案のロックをスーツケースのケースに用いる実施例の模式図である。
【図３】本考案のロックの実施例の模式図である。
【図４Ａ】本考案のロックの実施例の模式図である。
【図４Ｂ】本考案のロックの実施例の模式図である。
【図５Ａ】本考案のロックの位置決め具が位置決め穴に挿入される実施例の模式図である。
【図５Ｂ】本考案のロックの位置決め具が位置決め穴に挿入される実施例の模式図である。
【図６Ａ】本考案のロックのロータがラッチをロック穴に挿入するように回転する実施例の模式図である。
【図６Ｂ】本考案のロックのロータがラッチをロック穴に挿入するように回転する実施例の模式図である。
【図７Ａ】本考案のロックのラッチがフック状物である実施例の模式図である。
【図７Ｂ】本考案のロックの二つのロック穴が第一側端面に対する距離の異なる位置に設けられる実施例の模式図である。
【図８】本考案のロックの第一本体と第二本体との間に間隙を有する実施例の模式図である。
【図９】本考案のロックの異なる実施例の模式図である。
【考案を実施するための形態】
【００１２】
図２に示す実施例のように、本考案のロック８００はケース２００と合わせて使用するものである。この実施例において、ケース２００はスーツケースであり、接続される側辺を軸として開閉可能な第一ハウジング２１０及び第二ハウジング２２０を有する。しかし、異なる実施例において、ケースは手提げケース又はブリーフケースなどであってもよく、かつ、側辺で接続される二つのハウジングで構成されることに限らない。
【００１３】
図３及び図４Ａに示す実施例のように、本考案のロック８００は第一本体１００及び第二本体３００を含む。第一本体１００はロック体１１０、第一上端面１３０及び第一側端面１５０を含む。ロック体１１０は第一本体１００内に設けられ、第一上端面１３０はロック穴１３４を有し、第一側端面１５０は位置決め穴１５４を有する。そのうち、第一上端面１３０と第一側端面１５０は第一角度θ１を挟む。第一角度θ１は９０°であることが好ましい。図３及び図４Ａに示すような実施例において、ロック体１１０はダイヤル錠であり、そのダイヤルは第一本体１００の外に露出する。しかし、異なる実施例において、ロック体１１０はキーロック又は他の異なるタイプのロックであってもよい。
【００１４】
図３及び図４Ａに示す実施例のように、第二本体３００は第二上端面３３０及び第二側端面３５０を含む。第二上端面３３０は第一上端面１３０と同一の方向６０１に向き、第二上端面３３０に回動可能な係止具３３１が設けられ、回動可能な係止具３３１はロータ３３２及びラッチ３３４を含み、ロータ３３２は、一端が第二上端面３３０に枢着され、ロータ３３２の他端に近い第二上端面３３０に向く側がラッチ３３４に接続される。第二側端面３５０は第一側端面１５０と対向し、第二側端面３５０の位置決め穴１５４に対応する位置に位置決め具３５４が設けられる。そのうち、第二上端面３３０と第二側端面３５０は第二角度θ２を挟む。第二角度θ２は９０°であることが好ましい。
【００１５】
以下、当該ロックの作動方式をさらに説明する。図３、４Ａ及び４Ｂに示す実施例において、回動可能な係止具３３１が方向６０１へ引き上げられたとき、ラッチ３３４は第一本体１００と何ら接触せず、第一本体１００と第二本体３００は互いに自由に移動可能である。ロック８００を閉鎖状態にしようとするときに、先ず、図５Ａ及び５Ｂに示すように、第一本体１００と第二本体３００を互いに近接させ、即ち、第一側端面１５０を第二側端面３５０と隣り合う閉鎖位置に位置させ、さらに、第二側端面３５０に設けられる位置決め具３５４をその対応する位置決め穴１５４に挿入する。次に、図６Ａ及び６Ｂに示すように、ロータ３３２は、ラッチ３３４（図４Ａを参照）をロック穴１３４（図４Ａを参照）に挿入するように回転することができ、かつ、ロック体１１０によってラッチ３３４がロック穴１３４から離れることを制限する。
【００１６】
さらに言えば、ロック８００が閉鎖状態にあるとき、ロック体１１０における移動して作動することができる制限具（図示せず）は、ロック穴１３４内を貫入することで、ラッチ３３４がロック穴１３４から離れることを制限することができ、これによって、ロックの効果を達成した。一方、第二側端面３５０に設けられる位置決め具３５４も同時にその対応する位置決め穴１５４に挿入されるため、第一本体１００と第二本体３００との間のロックをさらに確実にすることができる。
【００１７】
図４Ａ及び４Ｂに示す実施例のように、ラッチ３３４は環状物を含む。ラッチ３３４である環状物の、ロータ３３２が第二上端面３３０に枢着される一端に近い位置に、ラッチ３３４がスムーズにロック穴１３４を出入するようにするためのガイド部３３５が設けられる。さらに言えば、ガイド部３３５は実質的に円弧ガイド角又は傾斜ガイド角である。ラッチ３３４は、ロータ３３２の回転により連動して移動するため、その移動軌跡が円弧形であり、そこで、ロック穴１３４を出入するときに、ロック穴１３４の軸方向に垂直ではなく、やや傾斜する。これにより、垂直鋭角と比べて、実質的に円弧ガイド角又は傾斜ガイド角であるガイド部３３５によって、ラッチ３３４がスムーズにロック穴１３４を出入することを可能にするばかりでなく、さらに、ロータ３３２が押し下げられたときに、ガイド部３３５が発生する分力により第一本体１００と第二本体３００の互いの近接に寄与することもできる。上記の実施例において、ラッチ３３４は環状物であるが、異なる実施例において、ラッチ３３４は製造又は使用上の要求に応じて設置されることができる。例えば、図７Ａに示す実施例において、ラッチ３３４のサイズを縮小するために、ラッチ３３４をフック状物にしてもよい。
【００１８】
実際的には、ロック穴及びその対応するラッチは、それぞれ１個のみあれば、その効果を達成できるが、好適な実施例において、ロック穴及びその対応するラッチはそれぞれ少なくとも一対あり、これにより、第一本体１００と第二本体３００との間のロックをさらに確実にする。そのうち、図３に示す実施例のように、ロック穴１３４は一対あってもよく、かつ、第一側端面１５０との距離が同じである。しかし、図７Ｂに示す異なる実施例において、ロック穴１３４’、１３４”は、第一上端面１３０の第一側端面１５０に対する距離の異なる位置に設けられる。ラッチ３３４が第一側端面１５０に近いロック穴１３４”に挿入される場合、図８に示すように、第一本体１００と第二本体３００との間に間隙ｄを有することができる。市販の多数のスーツケースは、柔軟に厚くなるという機能を有するため、上記の設置により、ロック８００がケースに応用されるときに、スーツケースの厚さの変化に応じてラッチ３３４を異なるロック穴１３４に挿入することができ、使用上ではさらに柔軟性を有する。
【００１９】
図９に示す実施例のように、本考案のロックの変形例において、ロック８００は第一本体１００及び第二本体３００を含み、第一本体１００は第一上端面１３０及び第一側端面１５０を含む。第一上端面１３０はロック穴１３４を有し、第一側端面１５０は位置決め穴１５４を有する。そのうち、第一上端面１３０と第一側端面１５０は第一角度を挟む。第二本体３００はロック体１１０、第二上端面３３０および第二側端面３５０を含む。ロック体１１０は第二本体３００内に設けられ、第二上端面３３０は第一上端面１３０と同一の方向に向き、第二上端面３３０に回動可能な係止具３３１が設けられ、回動可能な係止具３３１はロータ３３２及びラッチ３３４を含み、ロータ３３２は、一端が第二上端面３３０に枢着され、ロータ３３２の他端に近い第二上端面３３０に向く側がラッチ３３４に接続される。第二側端面３５０は第一側端面１５０と対向し、第二側端面３５０の位置決め穴１５４に対応する位置に位置決め具３５４が設けられる。そのうち、第二上端面３３０と第二側端面３５０は第二角度を挟む。
【００２０】
第一側端面１５０が第二側端面３５０と隣り合う閉鎖位置に位置すると、位置決め具３５４は位置決め穴１５４に挿入され、ロータ３３２はラッチ３３４をロック穴１３４に挿入するように回転することができ、かつ、ロック体１１０によってロータ３３２が回動することを制限し、さらにラッチ３３４がロック穴１３４から離れることを制限する。さらに言えば、ロータ３３２は第二上端面３３０に枢着され、ロック体１１０は、ロータ３３２の枢軸の回動又はロータ３３２自体の移動を干渉することにより、ロータ３３２が第二上端面３３０に対して回動することを制限することができる。
【００２１】
上記の記載及び図面は既に本考案の好適な実施例を開示したが、各種の追加、多くの変更及び置換が、添付される実用新案登録請求の範囲により限定される本考案の原理の要旨及び範囲を逸脱しない範囲で、本考案の好適な実施例に使用可能であることを理解しなければならない。本考案の属する技術分野に詳しい一般的な技術者は、本考案が多くの形式、構造、配置、割合、材料、要素及び部材の変更に使用可能であることを理解できる。したがって、本願のここで開示されている実施例は、本考案を制限するためのものではなく、本考案を説明するためのものと見なされるべきである。本考案の範囲は、添付される実用新案登録請求の範囲により限定されるべきであり、かつ、その合法的な均等物を含み、上記の記載に限定されない。
【符号の説明】
【００２２】
１００  第一本体
１１０  ロック体
１３０  第一上端面
１３４  ロック穴
１３４’  ロック穴
１３４”  ロック穴
１５０  第一側端面
１５４  位置決め穴
２００  ケース
２１０  第一ハウジング
２２０  第二ハウジング
３００  第二本体
３３０  第二上端面
３３１  回動可能な係止具
３３２  ロータ
３３４  ラッチ
３３５  ガイド部
３５０  第二側端面
３５４  位置決め具
６０１  方向
８００  ロック
θ１  第一角度
θ２  第二角度
【図１】
0003210073.tif 000003
【図２】
0003210073.tif 000004
【図３】
0003210073.tif 000005
【図４Ａ】
0003210073.tif 000006
【図４Ｂ】
0003210073.tif 000007
【図５Ａ】
0003210073.tif 000008
【図５Ｂ】
0003210073.tif 000009
【図６Ａ】
0003210073.tif 000010
【図６Ｂ】
0003210073.tif 000011
【図７Ａ】
0003210073.tif 000012
【図７Ｂ】
0003210073.tif 000013
【図８】
0003210073.tif 000014
【図９】
0003210073.tif 000015
【手続補正書】
【提出日】平成29年2月24日(2017.2.24)
【手続補正１】
【補正対象書類名】実用新案登録請求の範囲
【補正対象項目名】全文
【補正方法】変更
【補正の内容】
【実用新案登録請求の範囲】
【請求項１】
第一本体であって、
前記第一本体内に設けられるロック体と、
ロック穴を有する第一上端面と、
位置決め穴を有する第一側端面と、を含み、前記第一上端面と前記第一側端面が第一角度を挟む第一本体と、
第二本体であって、
前記第一上端面と同一の方向に向き、回動可能な係止具が設けられる第二上端面であって、前記回動可能な係止具はロータ及びラッチを含み、前記ロータは、一端が前記第二上端面に枢着されるとともに、前記ロータの他端に近い前記第二上端面に向く側が前記ラッチに接続される、第二上端面と、
前記第一側端面と対向し、前記位置決め穴に対応する位置に位置決め具が設けられる第二側端面と、を含み、前記第二上端面と前記第二側端面が第二角度を挟む第二本体と、を備え、
前記第一側端面が前記第二側端面と隣り合う閉鎖位置に位置すると、前記位置決め具は前記位置決め穴に挿入され、前記ロータは前記ラッチを前記ロック穴に挿入するように回転することができ、かつ、前記ロック体によって前記ラッチが前記ロック穴から離れることを制限するロック。
【請求項２】
第一本体であって、
ロック穴を有する第一上端面と、
位置決め穴を有する第一側端面と、を含み、前記第一上端面と前記第一側端面が第一角度を挟む第一本体と、
第二本体であって、
前記第二本体内に設けられるロック体と、
前記第一上端面と同一の方向に向き、回動可能な係止具が設けられる第二上端面であって、前記回動可能な係止具はロータ及びラッチを含み、前記ロータは、一端が前記第二上端面に枢着されるとともに、前記ロータの他端に近い前記第二上端面に向く側が前記ラッチに接続される、第二上端面と、
前記第一側端面と対向し、前記位置決め穴に対応する位置に位置決め具が設けられる第二側端面と、を含み、前記第二上端面と前記第二側端面が第二角度を挟む第二本体と、を備え、
前記第一側端面が前記第二側端面と隣り合う閉鎖位置に位置すると、前記位置決め具は前記位置決め穴に挿入され、前記ロータは前記ラッチを前記ロック穴に挿入するように回転することができ、かつ、前記ロック体によって前記ロータが回動することを制限し、さらに前記ラッチが前記ロック穴から離れることを制限するロック。
【請求項３】
前記ラッチは環状物を含む請求項１又は２に記載のロック。
【請求項４】
前記環状物の前記ロータが前記第二上端面に枢着される一端に近い位置に、ガイド部が設けられる請求項３に記載のロック。
【請求項５】
前記ラッチはフック状物を含む請求項１又は２に記載のロック。
【請求項６】
前記ロック穴及びその対応する前記ラッチはそれぞれ少なくとも一対ある請求項１又は２に記載のロック。
【請求項７】
前記ロック穴は少なくとも２個あり、かつ、前記第一上端面の前記第一側端面に対する距離の異なる位置に設けられる請求項１又は２に記載のロック。
【請求項８】
前記第一角度は９０°である請求項１又は２に記載のロック。
【請求項９】
前記第二角度は９０°である請求項１又は２に記載のロック。
【請求項１０】
前記ロック体はダイヤル錠を含む請求項１又は２に記載のロック。